(57)【要約】    有事の際の個人と公衆衛生との双方を防護するように双方向ＨＥＰＡフィルタリングを含む民生用バイオハザードマスク。適合性及び着用性を最大化するために幾つかの手段が講じられており、これは例えばゲルシールによる心地よい装着、眼ボリュームを口鼻ボリュームから分離すること及び眼の湿気解除弁による曇り防止、ネットサスペンションによる熱分散、くしゃみや咳の際に顔面シールを保持する過圧解除弁である。浸潤性吐気フィルタは口及び鼻の周りの湿気低減を促進する。電話通信またはオーディオ娯楽に適合するように組み合わせられた魅力的且つスタイリッシュなデザインは、着用者が有事の際にマスクを保持することを促進する。【選択図】  図１【特許請求の範囲】
【請求項１】
バイオハザードマスクであって、
顔面ボリュームを形成すると共に、実質的に環状の縁を有し、この縁は顔面シールを形成する曲線表面と、
前記曲線表面内の少なくとも一つの吸気アパーチュアと、
前記吸気アパーチュアと前記顔面ボリュームとの間に配置された吸気フィルタと、
前記吸気アパーチュア及び前記吸気フィルタを通じて前記顔面ボリュームへ空気を入れるが、他の方向へは空気を逃がさないように配置された吸気弁と、
前記曲線表面内の少なくとも一つの吐気アパーチュアと、
前記吐気アパーチュアと前記顔面ボリュームとの間に配置された吐気フィルタと、
前記吐気アパーチュア及び前記吐気フィルタを通じて開放ボリュームへ空気を出すが、他の方向へは空気を逃がさないように配置された吐気弁とを備えることにより、
吸気と吐気との両方を濾過するバイオハザードマスク。
【請求項２】
前記吸気及び吐気フィルタが、ＨＥＰＡフィルタを含む請求項１の発明。
【請求項３】
前記ＨＥＰＡフィルタが殺菌剤を含む請求項２記載の発明。
【請求項４】
前記曲線表面が、レンズ区画と口鼻区画とを有し、これらレンズ区画と口鼻区画とは、着用者の顔面に対して位置する際に個別のボリュームを規定する請求項１記載の発明。
【請求項５】
前記口鼻区画が、口鼻ボリュームを形成し、且つ実質的に環状の縁を有し、この環状縁は口鼻シールを形成し、
前記レンズ区画が、レンズボリュームを形成し、且つ実質的に環状の縁を有し、この環状縁はレンズシールを形成する請求項４記載の発明。
【請求項６】
前記レンズ区画が、前記口鼻区画の外面へ取り外し自在に取り付けられている請求項５記載の発明。
【請求項７】
前記レンズ区画が、水蒸気浸透性で物質不浸透性の膜を含む請求項４記載の発明。
【請求項８】
前記レンズ区画が、可撓性材料を含むと共に、この可撓性材料が撓む際に、閉止された空気体積の一部を排出するための弁アセンブリを更に含む請求項４または７記載の発明。
【請求項９】
前記顔面シールがゲルシールを含む請求項１記載の発明。
【請求項１０】
前記顔面シールがメモリーシールの上部に座したゲルシールを含む請求項１記載の発明。
【請求項１１】
前記顔面シールが接着剤を含む請求項１記載の発明。
【請求項１２】
前記曲線表面は、突然の内部圧力低下の際の顔面シール完全性及び／または吐気フィルタ性能を保証するための少なくとも１つの膨張可能過圧排除膜を含む請求項１記載の発明。
【請求項１３】
ＨＥＰＡフィルタが除去可能な使い捨てカートリッジを含む請求項２記載の発明。
【請求項１４】
頭部ネットを含む頭部サスペンション系を更に備え、その頭部ネットは、このネットを頭部へ装着することにより使用者がマスクを着用可能とするように、前記曲線表面に対する取り付け点を含む請求項１記載の発明。
【請求項１５】
ネットストラップを含む頭部サスペンション系を更に備え、そのネットストラップは、このネットストラップを頭部の回りに装着することにより使用者がマスクを着用可能とするように、前記曲線表面に対する取り付け点を含む請求項１記載の発明。
【請求項１６】
バイオハザードマスクであって、
顔面ボリュームを形成すると共に、実質的に環状の縁を有し、この縁は顔面シールを形成する曲線表面と、
前記曲線表面内の少なくとも一つのアパーチュアと、
前記アパーチュアと前記顔面ボリュームとの間に配置された双方向ＨＥＰＡフィルタとを備えることにより、
吸気と吐気との両方を濾過するバイオハザードマスク。
【請求項１７】
前記ＨＥＰＡフィルタが殺菌剤を含む請求項１６記載の発明。
【請求項１８】
前記曲線表面が、レンズ区画と口鼻区画とを有し、これらレンズ区画と口鼻区画とは、着用者の顔面に対して位置する際に個別のボリュームを規定する請求項１６記載の発明。
【請求項１９】
前記口鼻区画が、口鼻ボリュームを形成し、且つ実質的に環状の縁を有し、この環状縁は口鼻シールを形成し、
前記レンズ区画が、レンズボリュームを形成し、且つ実質的に環状の縁を有し、この環状縁はレンズシールを形成する請求項１８記載の発明。
【請求項２０】
前記レンズ区画が、前記口鼻区画の外面へ取り外し自在に取り付けられている請求項１９記載の発明。
【請求項２１】
前記レンズ区画が、水蒸気浸透性で物質不浸透性の膜を含む請求項１８記載の発明。
【請求項２２】
前記レンズ区画が、可撓性材料を含むと共に、この可撓性材料が撓む際に、閉止された空気体積の一部を排出するための弁アセンブリを更に含む請求項１８または２１記載の発明。
【請求項２３】
前記顔面シールがゲルシールを含む請求項１６記載の発明。
【請求項２４】
前記顔面シールがメモリーシールの上部に座したゲルシールを含む請求項１６記載の発明。
【請求項２５】
前記顔面シールが接着剤を含む請求項１６記載の発明。
【請求項２６】
前記曲線表面は、突然の内部圧力低下の際の顔面シール完全性及び／または吐気フィルタ性能を保証するための少なくとも１つの膨張可能過圧排除膜を含む請求項１６記載の発明。
【請求項２７】
ＨＥＰＡフィルタが除去可能な使い捨てカートリッジを含む請求項１６記載の発明。
【請求項２８】
頭部ネットを含む頭部サスペンション系を更に備え、その頭部ネットは、このネットを頭部へ装着することにより使用者がマスクを着用可能とするように、前記曲線表面に対する取り付け点を含む請求項１６記載の発明。
【請求項２９】
ネットストラップを含む頭部サスペンション系を更に備え、そのネットストラップは、このネットストラップを頭部の回りに装着することにより使用者がマスクを着用可能とするように、前記曲線表面に対する取り付け点を含む請求項１６記載の発明。
【請求項３０】
前記殺菌剤が、自然銀、酸化銀、スルファジアジン銀、ヒドロゲル銀、クロルヘキシジン及び次亜塩素酸塩のうちの一つ以上を含む請求項３または１７記載の発明。
【請求項３１】
マスクを顔面へ封止する手段と、
呼気と吐気との両方を濾過する手段とを備えるバイオハザードマスク。
【発明の詳細な説明】
【技術分野】
【０００１】
本発明は生物学的有害物質（バイオハザード）を防御するマスクに関する。
【０００２】
関連出願
本願は２００３年１月２２日出願の米国一部継続出願第６０／４４１，８０２号の優先権を主張する。
【背景技術】
【０００３】
テロリストは、一般市民集団へ重大な生物学的攻撃を放つ能力があると考えられている。テロリストは、局所的な生物学的有害物質（例えば兵器化された炭素菌）を用いるであろうし、或いは致死性病原菌（例えば天然痘）を用いるであろう。そのような物質や菌は数多く存在し、その各々がそれ自身の感染効率、大気中での生存率、可搬性を有しており、感染、罹患そして死をもたらす。
【０００４】
人為的な脅威のみが増大しているようにみえるだけではない。天然の伝染病菌の拡散から流行病の可能性もまた増大しているようにみえる。２００３年サーズ発生は最近の例である。このような天然の事象も視点におくと、１９１８年インフルエンザ流行は、第一次世界大戦中に戦闘で死亡した兵士よりも多くの兵士を死に至らしめたものと広く考えられている。
【０００５】
発明者の知るところでは、特に民生用の必要性を考慮して設計された従来の生物学的有害物質防護ギアはない。突発の際には、公衆衛生は利用可能な最も効果的な生物学的有害物質防護ギアの広範な使用を必要とする。それには、適合性及び装着性を最大化し、且つ致命的若しくは危険な感染菌の受け入れ及び再感染を最小化する機器が必要である。軍事的訓練から得られる自制心に欠けているとしても、長時間に亘ってギアを着用せねばならないユーザへ提供するために、適合性及び装着性は特に重要である。
【０００６】
生物学的有害物質防御ギアは、その殆どが従来は軍事的用途のために設計されている。陸軍長官を代表者としてアメリカ合衆国へ譲渡された米国特許第６，１５８，４２９号は、その従来技術の例である。これは、生物学的有害物質に対する防御のためのフード  レスピレーターを開示している。そこに開示されたデバイスは、着用者の頭部及び首にぴったりと合うように完全にフード状にされたレスピレーターアセンブリ形態である。それには吐気「呼吸空気流流通アセンブリ」のみならず、２つのＨＥＰＡフィルタがあり、その各々が各頬に隣接している。フード状レスピレータは透明な眼レンズも包含する。この‘４２９号特許は、生物学的有害物質に対する防御にはＨＥＰＡフィルタリングのみが必要であるが、化学的物質に対する防御には能動的なカーボンフィルタリングの追加が必要であると認められる。この‘４２９号特許は、呼気フィルタリングを開示しているが、吐出する吐息の濾過は開示していない。従って、そこに開示されたデバイスは、流行病の流行期間中、戦場またはテロリストによる攻撃中における様々な感染性の細菌戦用物質の存在下では、そのアセンブリを着用した感染者は依然として感染媒介者であるから、その使用は制限されることになる。この‘４２９号特許のフード状レスピレーターには、眼、鼻及び口を覆う単一のボリュームも含まれている。これによれば、レンズの内面を横切るように再指向された吸気の解決が必要な曇り問題が課される。高湿度条件化では、その対フォギング手段は作動しない。この単一のボリュームは、眼並びに鼻及び口を覆わねばならず、即ちＣＯ２の貯蔵器としても働いてしまうので、適合性及び装着性を低下させる。このフードは着用者には熱すぎる。
【０００７】
同じく陸軍長官を代表者としてアメリカ合衆国へ譲渡された米国特許第５，９５７，１３１号は生物戦マスクを開示している。そこに示されたマスクは眼の防御を含んでいない。その代わりに、このマスクは、鼻腔内側に装着する２つのチューブ及び口の内側へ装着するマウスピースを示している。従ってこのマスクは眼を通じて侵入する様々な感染菌に対しては防御できない。また吐気のフィルタリングもない。
【０００８】
例示的な軍用ガスマスク、若しくは化学生物学組み合わせマスクが、陸軍長官を代表者としてアメリカ合衆国へ譲渡された特許第５，１８１，５０６号及び米国特許第６，１７６，２３９号にそれぞれ示されている。これらのマスクはカーボンフィルタリングを必要とする。これらのマスクは明らかに、長期間に亘る民間人の使用を意図して設計されたものではない。これらは吐気フィルタリングを何ら開示しておらず、実際、‘２３９号特許は吐気のフィルタリングに対する特有の不都合をもたらす。同様に、‘４２９号特許に開示されたデバイスでは、湿気が増えるとレンズが曇るので、レンズ内面を横断する吸気の通過の解決を無効にする。
【０００９】
従って本発明の目的は民間人集団（成人及び子供）の必要性を意図して設計されたバイオハザードマスクを与えることである。
【００１０】
発明の概要
本発明は、添付の請求項に記載された様々な例や組み合わせとして現れる多数の設計上の特徴を通じて、民生用バイオハザードマスクの目的に適う。疾病再感染に対する最大の効果（これは家庭内隔離期間中や保健設備における使用に特に有益である）のために、本発明は吸気と吐気との両方のためにＨＥＰＡフィルタリングを与える。レンズの曇りに対する最大の防御のために、眼のためのボリュームは口及び鼻のためのボリュームから分離されている。眼のためのボリュームは、たまった水蒸気を排除可能とするように、受動的空気循環系により補強された水蒸気浸透性で物質不浸透性の膜を更に含む。呼吸の最大の適合性のために、口鼻ボリュームは最小化されて、且つ湿気排出を最大化するようにされている。最大の装着性及び適合性のためにマスクは、メモリーシール／ゲルシールの組み合わせを用いて顔面に対してシールされており、また網を用いて頭部から浮かされている。
【００１１】
双方向フィルタリングは流行病若しくは局所的な蔓延の際に特に重要である。感染率が高く、特に致命的な感染物質が環境にはびこる際には、行政当局は隔離を強いるであろう。従って感染者が他の非感染者と共に閉鎖された地区で生活する可能性が高い。更に保健看護施設は看護のために多数の感染者を受け入れるであろうから、その他にも、閉鎖された地区に他の非感染者と共にいる感染者の高密度の集団が形成される。多くの場合において、人間は発症する前の長期間に亘って再感染させるであろうから、再感染を最小化させるバイオハザードマスクを提供すべき強い要請がある。
【００１２】
本明細書における貢献の発明に係る他の実施は、図面により補充されている詳細な説明から明らかになろう。
【００１３】
好ましい実施例の説明
各図において同一の参照符合は同一の部品及び特徴部を示すように意図されている。図１を参照すると、本発明のバイオハザード防御ギアの一実施例が示されている。図１は着用者の顔面を覆う本発明のマスクを示す。このマスクはレンズ部分１００、口鼻部分２００、及びサスペンション部分３００を含む。
【００１４】
レンズ部分１００は任意の透明レンズ材料から形成してもよく、好ましくはポリカーボネイトであり、最も好ましくは着用者の通常の動作の間に可撓であるポリカーボネイトである。レンズ部分１００は眼の領域から湿気を除去するように機能する２つの更なる構造体（図示せず）も含むことが好ましい。その一方は水蒸気浸透性で生物学的物質不浸透性の膜であって、好ましくはＴＹＶＥＫ、最も好ましくはレンズ部分の各側面上の１立方インチ（約２．５立方センチメートル）を覆うＴＹＶＥＫである。他方は、眼のためのボリュームと空気連通する一方向空気放出弁であって、膜よりも低い圧力抵抗において、レンズ材料の通常の可撓性またはシールに対する顔面の通常の動作により、湿った眼ボリューム空気を周囲環境へ徐々に放出する。即ち、着用者の通常の顔面及び身体動作が、湿った空気を弁の外へ規則的に「絞り出す」のに充分であり、その湿った空気は、浸透性膜を通じて内方へ通過するように連続的に流入する衛生的な乾燥した外気に置き換えられる。膜及び放出弁は眼の領域にたまる湿気を低減させるように働くので、曇りを最小かさせる。このマスクの湿気低減及び曇り止めに寄与する他の特徴は、後述するように眼ボリュームが口鼻ボリュームから分離してシールされていることである。
【００１５】
代替的実施例においては、レンズ部分１００は処方レンズを収容するのに適するようにしてもよく、これは、通常の眼鏡または鼻眼鏡に適合するように充分に大きな内部容積を可能にするか、或いはそれに代えて米国特許第５，１８１，５０６号の第５カラムに説明された方式またはそれと均等な手法で処方レンズをスナップ係合させるようにしてもよい。
【００１６】
図１の実施例のマスクの口鼻部分２００は、適切な耐久性がある浸透性の任意の材料から形成して、２つの主要な部品を包含するようにしてもよい。それには吸気区画２２０と吐気区画２４０とがある。図示のように、これらはそれぞれ吸気及び吐気アパーチュアを包含する。図１の実施例においては、個別の部分があり、その各々は専用のフィルタ及び弁アセンブリを有し、好ましくはＨＥＰＡフィルタ（例えばポリエステル／ガラスフィルタ）であり、最も好ましくは殺菌剤を包含若しくは含侵させたＨＥＰＡフィルタである。そのような殺菌剤は生物学活性菌（例えば胞子、バクテリアまたはウィルス）を死滅させる傾向を持つが、フィルタアセンブリを通じて吸気可能であるか、或いは吸気しても着用者に害のない任意の物質とすることができる。このような物質は好ましくは自然銀を含み、また銀化合物、例えば酸化銀、スルファジアジン銀及び／またはヒドロゲル銀を含んでもよく、或いはクロルヘキシジン及び／または次亜塩素酸塩を含んでもよく、最も好ましくは粉末形態である。これらの形式の商業的に入手可能なＨＥＰＡフィルタ材料は、例えば３ＭまたはReemayなどの生産財卸売商から一般的に入手可能である。
【００１７】
図１の実施例のマスクのサスペンション部分３００は、軽量であるが頑丈な材料であり、しかもマスクが適切なシール（後述する）を形成する方式で、着用者の顔面及び／または頭部にマスクを掛けるように設計されている。適合性を最大化させ、特に通常のストラップや繊維で生じる発熱を最小化するために、サスペンション部分３００は網材料からなる。これは商業的に入手可能なヘア・ネット製品に用いられているのと同様な材料及び形態の形式とすることができる。代替的に、この網は標準的な漁網の形態とすることができる。適切な材料は合成繊維、ナイロン、またはポリエステルを含み得る。このような商業的に入手可能な網材料はGeorge C. Moore Coから入手できる。網は幾つかの利点を与える。即ち、頭部を覆う繊維またはストラップよりも優れた改善された重量及び熱分布、並びに着用者を識別する改良された前後能力である。サスペンション部分３００は必ずしも頭部全体を覆う必要はない。これに代えて、マスクを顔面に対して封止する（後述する）のに適するように形状付けられた網状ストラップを含んでもよい。
【００１８】
図２を参照すると、サスペンション部分３００のレンズ部分１００に対す取り付け点１２０、及び口鼻部分２００に対する取り付け点２６０が更に示されている。これらの取り付け点は、締具付きナイロンストラップを受け入れるようにループ状にしてもよく、或いはサスペンション部分３００をマスクへ締め付けるのに充分な任意の手段を含んでもよい。
【００１９】
図３を参照すると、更にシール２５０が示されている。シール２５０は、マスクを構成する曲線をなす面の実質的に環状の縁に置かれて、呼吸空気流が専らフィルタを通じることを確実にするために使用者の顔面に接触するようにしてある。図４に関連して示すように、シール２５０は、着用者の顔面に座した際に、マスク内に２つの分離した非連通のボリューム、即ち眼ボリューム及び口鼻ボリュームを規定することに付与する。上述したように、これらのボリュームの分離は本実施例の曇り止めの形態に寄与する。シールそれ自体は様々な材料、例えば接着剤、メモリーシール（例えば米国特許第５，８３６，３０３号の第３カラムに説明されたもの）、または好ましくはゲルシール（例えば米国特許第５，１８１，５０６号の第４カラムに説明されたもの）から構成してもよい。そのようなゲルシールはPittsburgh Plastic,Incなどの企業から入手可能である。このシールは、メモリーシールの上に座したゲルシールを構成してもよい。
【００２０】
図４を参照すると、口鼻部分２００の内面２１０が示されている。吸気区画２２０は吸気弁２３０を通じてマスクの内室と連通する。弁２３０はディスク状またはドーム状の弁であって、顔面へ向かって凹状をなしており、ばねにより閉止状態へ極僅かに付勢されている。従って吸気の際には、弁２３０は容易に開放して、吸気ＨＥＰＡフィルタを通じて空気流を完全に口鼻ボリュームへ通過可能にする。吸気区画２２０は、本実施例では２つの吸気弁２３０に関連しており、２つの吸気領域、即ち一つずつが各頬に隣接する領域を伴うことに留意されたい。これら吸気領域の外観は、硬い３次元曲面である。このことは、窒息の危険が最小限で且つ最大の適合性をもって、マスク内で睡眠することを可能とする。吐気区画２４０は吐気弁２７０を通じてマスクの内室に連通する。弁２７０もディスク状またはドーム状の弁としてもよく、この場合は顔面へ向かって凸状であり、ばねにより極僅かに閉止状態へ付勢されている。吐気の際には、弁２７０は容易に開放して、吐気ＨＥＰＡフィルタを通じて空気流を完全に口鼻ボリュームの外側へ通過可能にする。
【００２１】
再びフィルタの特性に戻ると、吸気ＨＥＰＡフィルタは全濾過面の１平方フィート（約３０平方センチメートル）まで与えるように選択することが好ましい。吐気ＨＥＰＡフィルタは、吐気息の湿気含有量に起因して吸気ＨＥＰＡフィルタとは異なる設計基準を有する。従って、これは好ましくも全濾過面積を若干少なくして、より開放した織り方とすることができる。更に、水蒸気分散を最大化するために、フィルタ繊維の或る部分について、増加した浸潤材に対して中空の変化をもたせることができる。更に、フィルタ媒体は荷電し得るので、これは吐気期間中の湿気低減に更に付与する。
【００２２】
図５を参照すると、本実施例ではレンズ１００を除去することにより半マスクとして形成してもよい。スロット２８０が示されており、これにはレンズ１００を取り外し自在に挿入し得る。取り外し自在レンズ１００を有するように設計されたマスクのためには、シール２５０はレンズ１００の自由な挿入及び取り外しを可能とするように相応に設計せねばならない。
【００２３】
図６を参照すると、本実施例のマスクの下側が示されている。２つの付加的な特注がこの図に表れている。先ず、吸気フィルタ２２２は取り外し自在カートリッジを含み、吐気フィルタ２４２は更なる取り外し自在カートリッジを含む。このカートリッジは摺動する形式として示されているが、例えばねじ込み式など任意の形式とすることができる。このマスク下側には過圧リリーフを促進するための手段も示されている。本実施例の封止されたマスクは吐気を濾過する。しかしながら、人間はくしゃみや咳をする。このことは顔面の封止２５０を一時的に破断する虞れ、或いは吐気が最大濾過効率のために望ましいものよりも早くＨＥＰＡフィルタを通じて押し出される虞をもたらす。従って図示の実施例は、過圧リリーフ機構として働く２つの膜２２４を含む。蛙がその顎先を膨らますように、膜（これはラテックスラバーまたはポリイソプレンなどの均等物としてもよい）は、くしゃみや咳、または他の過圧状態の際に膨らむ。このようにして封止を維持し、潜在的な感染空気を保持する膨張膜は、その空気を吐気ＨＥＰＡフィルタを通じて徐々に消散させる。
【００２４】
本実施例のマスクの図示しない他の特徴は、発話を容易にするＫＡＰＴＯＮ声帯膜を含む。所望とあれば、電子的交信機器を収容してもよい。即ちマイクロフォンを口鼻ボリュームの内側に配置し、マスクの表面上の或る位置のマイクロフォンジャックへ接続してもよい。更に耳を覆うように設計されているマスクにおいては、耳スピーカーも包含して、同様にジャックに接続してもよい。従って代替的な実施例においては、着用者は、マスクを取り外すことなく、また有事の際の個人又は公衆衛生を妥協することなく、電話またはオーディオ娯楽とインターフェースすることができる。電話または娯楽能力を含めることも使用者の適合性及び着用性を最大化させる。また図示しないが、吸引ストローを適切な場所でマスクを通じて適切に挿入し、マスクを取り外すことなく液体を摂取可能にしてもよい。本実施例のマスクは、有事の際の連続的使用を促進するように、デザインまたはファッションの要素で飾り付けてもよい。この観点では、マスクを構成する耐久性のある材料は、半透明または透明ポリマー材料から形成できるので、換言すれば、このような材料には様々な明るいパステルカラーやデザインを導入できる。実質的に透明または半透明マスクは着用者の識別性を高めると共に、有事の際の連続的使用を促進するように、魅力的で洒落たデザインに形成することもできる（勿論、フィルタは不透明である）。
【００２５】
図７乃至図１０は本発明の防御ギアの第２実施例を示す。特に断らない限り、第２実施例の特性及び特徴は、第１実施例に関連して説明した材料及び構造を用いて適宜に達成される。第１実施例と第２実施例との間には２つの主要な差異がある。この第２実施例においては、レンズ４００はもはや単一片ではなく、よりゴーグルの形態である。更に、弁構成を通じて吸気と吐気とに分離する個別のフィルタを包含する口鼻部分２００に代えて、口鼻部分５００は弁を有しておらず、それに代えて吸気と吐気との両方のための単独のＨＥＰＡフィルタを含む。この形態は、相当な量の表面積をフィルタへ充てることができるので、呼吸の間の圧力抵抗を低くさせる可能性がある。図７乃至図１０には、吸引ストローが特に図示されている。
【００２６】
当業者には、本発明の概念を逸脱することなく、本明細書に説明した特定の実施例の様々な使用例及び変更例をなせることは明白であろう。例えば、実施例はマスクを示したが、当業者には、本明細書における技術的説明の観点から、マスクと互換性のある均等なギア、例えばスーツ、フード、その他の保健上の防護のためのギアへ本明細書における発明の概念を容易に適用できるであろう。上記に示した実施例の特性及び特徴の詳細は、権利者の所有権を規定する添付の請求項及びその均等物の限定を意図するものではなく、例示にすぎない。
【図面の簡単な説明】
【００２７】
【図１】図１は本発明のマスクの斜視図である。
【図２】図２は本発明のマスクの前面図である。
【図３】図３は本発明のマスクの側面図である。
【図４】図４は本発明の口鼻コーンの内面を示す図である。
【図５】図５は本発明のマスクの側面図であって、取り外し自在レンズを取り除いて半マスクを形成する状態で示す図である。
【図６】図６は本発明のマスクの下側を示す図である。
【図７】図７は本発明のマスクの代替的実施例の斜視図である。
【図８】図８は本発明の代替的な半マスク実施例の斜視図である。
【図９】図９は図８の代替的実施例の前面図である。
【図１０】図１０は図９の代替的実施例の前面図である。
【図１】
2007524429.tif 000002
【図２】
2007524429.tif 000003
【図３】
2007524429.tif 000004
【図４】
2007524429.tif 000005
【図５】
2007524429.tif 000006
【図６】
2007524429.tif 000007
【図７】
2007524429.tif 000008
【図８】
2007524429.tif 000009
【図９】
2007524429.tif 000010
【図１０】
2007524429.tif 000011
【国際調査報告】
2007524429.tif 000012